(57)【特許請求の範囲】
【請求項１】
化粧箱に封入されず、単体で販売されたパック食品（１）に使用する加熱パック食品用化粧箱であって、上部が開口している本体（２）を有し、該本体（２）の表裏に窓（８）を設け、窓（８）に粘着テープ（１０）を外側から付着させ、化粧箱の本体（２）と加熱したパック食品（１）を接着させることを特徴とする加熱パック食品用化粧箱。
【請求項２】
化粧箱の本体（２）の内側に断熱材（１３）を具備したことを特徴とする請求項１に記載の加熱パック食品用化粧箱。
【発明の詳細な説明】
【０００１】
【発明の属する技術分野】
この発明は、加熱されたパック食品から内容物を残さずきれいに取り出せ、パック食品の熱で手が熱くならない加熱パック食品用化粧箱に関している。
【０００２】
【従来の技術】
従来、レトルト食品等の調理された内容物は、長期間の保存を可能にするためアルミや合成樹脂のパックに封入されている。これらのパック食品は、パックのまま販売する方法とパック食品をさらに化粧箱に収納して販売する方法が取られていて、パック食品の内容物を飲食する前に湯煎などにより加熱して食すことになる。加熱したパック食品は非常に熱く手で持てないのが現状である。そのような問題点を解決するものとして、パウチを外箱内に収納し、該外箱を利用して容易に移しかえることができるようにしたものが提案されている（特許文献１、２参照）。
【特許文献１】
特開平９−７７１３５号公報
【特許文献２】
特開平４−２１４１２６号公報
【０００３】
【発明の解決しようとする課題】
加熱後のパック食品は内容物を容器に搾り出そうとしても熱くて最後まで搾りきれず、パック内に内容物が残ってしまうことがある。また、加熱直後の開封したパック食品を持つ際も、熱さに手が耐え切れずパック食品を落とし内容物が身体に付着して火傷することがある。このように、従来提供されているパック食品は加熱することで危険性が増すため、加熱した際のパック食品の熱から手を保護できる製品の提供が望まれている。上記提案されているものは、何れもパック食品を化粧箱に封入して販売するタイプのものであり、パック食品のまま単体で販売しているものには適用できないという問題点がある。
そこで、本発明はパック食品のまま単体で販売しているものについて、加熱後にパックから安全に且つ内容物を残さずに取り出せることができる加熱パック食品用化粧箱を提供することを目的とする。
【０００４】
【課題を解決するための手段】
上記課題を解決する本発明の加熱パック食品用化粧箱は、化粧箱に封入されず、単体で販売されたパック食品（１）に使用する加熱パック食品用化粧箱であって、上部が開口している本体（２）を有し、該本体（２）の表裏に窓（８）を設け、窓（８）に粘着テープ（１０）を外側から付着させ、化粧箱の本体（２）と加熱したパック食品（１）を接着させることを特徴とするものである。
【０００５】
即ち、パック食品１のまま単体で販売されている商品に使用する加熱パック食品用化粧箱は、化粧箱に封入して販売するタイプの切り取り部分を取り外した形状と同構造の本体２と、本体２の両面中央部に折れ線５を設け、本体２の表裏に窓８を設けた構造の化粧箱である。この本体２に設けた窓８に、粘着面が内側になるよう粘着テープ１０を外側から付着させれば粘着剤と同等の機能を発揮してパック食品１と本体２を接着させ一体化できる。
【０００６】
次に、加熱したパック食品１の熱をさらに遮る方法としては、本体２の内側に断熱材１３を具備することで、加熱したパック食品１の熱は完全に遮断され、本体２から手に伝わらない。
【０００７】
【発明の実施の形態】
本発明の実施の形態を実施例にもとづき図面を参照して説明する。
図１は、本発明の実施形態に係る加熱パック食品用化粧箱の斜視図である。本実施形態の加熱パック食品用化粧箱は、本体２の両面中央部に折れ線５を設け、本体２の表裏上部に窓８を設けている。この窓８に粘着テープ１０を図２、図３のように巻着することで、窓８を粘着テープ１０で覆うことができ、本体２に粘着面が備わる。この本体２に加熱したパック食品１を入れると窓８部分の粘着テープ１０に接着され本体２と一体化する構造である。使用後は粘着テープ１０を取り外し、使用時に粘着テープ１０を巻着、付着することで何度も使用できる。また、本体２の窓８を増減したり、窓８の大きさに変化を持たせて形成する方法もある。
【０００８】
図４は、加熱パック食品用化粧箱の斜視図である。加熱したパック食品１を本体２に入れ接着するために、本体２の内面に両面テープ１１を付着し、本体２の内側に断熱材１３を具備した構造である。本体２と加熱したパック食品１を接着する両面テープ１１は、取り替えることで何度も利用できる状態になり、断熱材１３は加熱したパック食品１の熱を本体２の外部に出さない。
【０００９】
図５〜図１０は、パック食品を化粧箱に封入して販売するタイプに適用した加熱パック食品用化粧箱であり、参考例として示す。
図５は、参考例に係る加熱パック食品用化粧箱の斜視図である。化粧箱の本体２と切り取り部分４の境目に切り取り線３を設け、本体２の内面に粘着剤６を塗布し、本体２の両面中央部に折れ線５を設けている。化粧箱に封入するパック食品１の厚み、形状に合わせ粘着剤６の塗布位置を変更したり、広げる方法もある。化粧箱を形成する材質としては、紙、生分解性フィルムや合成樹脂フィルムをラミネート加工した紙、合成樹脂、断熱材等を使用し、色柄物にすることでデザイン性が加味できる状態になる。
【００１０】
図６は、前記参考例に係る加熱パック食品用化粧箱の正面図である。切り取り線３の位置調整をすることで、深底から浅底の本体２が形成できる。また、化粧箱の形状を正方形、円筒形などのように封入するパック食品１の形状に合わせ容易に形成できるため、あらゆるパック食品１の化粧箱ができる。
【００１１】
図７は、前記参考例に係る加熱パック食品用化粧箱の切り取り部分を除去した状態での正面図である。図８は、図７に示す加熱パック食品用化粧箱の側面図である。化粧箱の本体２から切り取り部分４を取り外し、加熱したパック食品１を本体２に入れ、本体２に塗布した粘着剤６でパック食品１と本体２を一体化した状態を示している。このようにパック食品１と本体２がしっかり接着されることで、加熱したパック食品１が本体２から抜け落ちることがない。また、粘着剤６は劣化しない限り何度も繰り返し使用できるものである。
【００１２】
図９、図１０、図１１は、前記参考例の加熱パック食品用化粧箱の使用方法を示した平面図である。図９、図１０、図１１の順に追って説明する。図９参照、本体２の両側面の矢印２１、２０の方向に押圧することで、矢印２３、２２の方向の折れ線５が折れ曲がり、本体２が大きく開口する。本体２が大きく開口した時点で粘着剤６に付着している剥離紙７を剥がし、加熱したパック食品１を本体２に入れる。図１０参照、矢印３０、３１、３２、３３の方向に押圧して、本体２と加熱したパック食品１を粘着剤６で接着し、加熱したパック食品１を開封する。図１１参照、本体２の両側面の矢印２１、２０の方向に押圧することで、矢印２３、２２の方向の折れ線５が折れ曲がり、本体２と一体化させ開封したパック食品１が大きく開口する。この状態のまま容器に向け傾ければ、パック食品の内容物がきれいに流れ出る。
【００１３】
【発明の効果】
本発明は、以上説明したように構成されているので、以下に記載されるような効果を奏する。
加熱後のパック食品は熱くて持てなかったが、化粧箱に入れることで容易に持てるようになり、パック熱で手が熱くなったり、火傷をすることを防げる。また、パック食品の内容物を残さずきれいに取り出せるので、加熱後の熱いパック食品を握り内容物を搾り出さなくて済む。さらに、加熱したパック食品を開封する際に使用する安全具となり、手を熱から保護する。
【図面の簡単な説明】
【図１】本発明の実施形態に係る加熱パック食品用化粧箱の斜視図である。
【図２】その正面図である。
【図３】その側面図である。
【図４】参考例に係る単体で販売されたパック食品に使用する加熱パック食品用化粧箱の斜視図である。
【図５】参考例に係る化粧箱に収納して販売される加熱パック食品用化粧箱の斜視図である。
【図６】その正面図である。
【図７】その切り取り部分を除去した状態での正面図である。
【図８】その側面図である。
【図９】その使用方法を示した平面図である。
【図１０】図９に続くその使用方法を示した平面図である。
【図１１】図１０に続くその使用方法を示した平面図である。
【符号の説明】
１ パック食品
２ 本体
３ 切り取り線
４ 切り取り部分
５ 折れ線
６ 粘着剤
７ 剥離紙
８ 窓
１０粘着テープ
１１両面テープ
【図１】
0003816003.tif 000002
【図２】
0003816003.tif 000003
【図３】
0003816003.tif 000004
【図４】
0003816003.tif 000005
【図５】
0003816003.tif 000006
【図６】
0003816003.tif 000007
【図７】
0003816003.tif 000008
【図８】
0003816003.tif 000009
【図９】
0003816003.tif 000010
【図１０】
0003816003.tif 000011
【図１１】
0003816003.tif 000012